(57)【特許請求の範囲】
【請求項１】
筐体であるユニット本体の底部をなす底板上に室外熱交換器等を載置固定するとともに、上記底板に設けられる固定用脚が取付け具を介して被据付け部に取付け固定される空気調和機の室外機において、
上記固定用脚は、上記底板の周縁内側から一体に加工展開することにより所定高さに形成される突堤部を有し、かつ被据付け部に取付け固定される部位が底板外部へ突設されることを特徴とする空気調和機の室外機。
【請求項２】
上記固定用脚の被据付け部に取付け固定される部位の幅寸法は、上記突堤部基端の幅寸法よりも小に形成されることを特徴とする請求項１記載の空気調和機の室外機。
【請求項３】
上記底板の周縁に沿って、ユニット本体を構成する板体が取付けられるフランジ部が一体に形成され、
上記固定用脚の突堤部は、上記底板のフランジ部よりも内側に位置することを特徴とする請求項１記載の空気調和機の室外機。
【請求項４】
上記底板は、平面視で横長矩形状をなし、この前後長辺部における左右両側に対向する部位に上記固定用脚が設けられ、
前後の固定用脚を結ぶラインにほぼ沿う底板部位に、その底面が、上記被据付け部面と所定の間隙を存して近接する、もしくは被据付け部面に接触するよう突出する凹陥部が一体に設けられることを特徴とする請求項１記載の空気調和機の室外機。
【請求項５】
上記凹陥部の突出底面に、排水用孔部が設けられることを特徴とする請求項４記載の空気調和機の室外機。
【請求項６】
上記凹陥部の周縁に沿って、底板面から上方に突出する縁部が一体に設けられることを特徴とする請求項４記載の空気調和機の室外機。
【発明の詳細な説明】
【０００１】
【発明の属する技術分野】
本発明は、室内機と室外機とから構成される分離形空気調和機に係り、特に室外機におけるユニット本体の底部を構成する底板構造に関する。
【０００２】
【従来の技術】
室内機と室外機とから構成される分離形空気調和機が多用される。特に、室外機においては、筐体であるユニット本体の底部をなす底板上に、圧縮機や、室外熱交換器および送風機などが載置固定されている。
【０００３】
この底板は平面視で横長矩形状をなし、周縁に沿って所定高さのフランジ部が一体に設けられ、このフランジ部に対して前面板や側面板などの板体が取付けられる。さらに、上端開口部は天板によって閉塞され、これらでユニット本体が構成される。
【０００４】
図４（Ａ）に示すように、ユニット本体Ｓの四隅には固定用脚ｂが設けられている。これら固定用脚ｂは、被据付け部である据付け台ｃ上に載置され、取付け固定具（固定用ボルト）ｄを用いて取付け固定される。
【０００５】
はじめ上記固定用脚ｂは、底板とは別部品として製作され、一端部が底板の裏面側にたとえばスポット溶接などの固着手段で取付け固定され、取付け用孔が設けられる他端部が底板から外方に延出して取付け固定されていた。
【０００６】
【発明が解決しようとする課題】
しかしながら、固定用脚を底板へ取付けるにあたって、溶接手段を採用すると、金属板腐食防止用の被膜まで焼却除去してしまう。そのため、溶接後に塗装して錆の発生を防ぐ必要があり、手間がかかる。
【０００７】
近時、加工性および耐久性に優れる溶融アルミニウム−亜鉛合金メッキ鋼板（例：ガルバリウム鋼板：商品名）が採用されるようになっているが、この鋼板では溶接を行うことができない。
【０００８】
上記鋼板を用いることを前提として、ねじ止め、リベット止め、カシメ止めなど、溶接以外の手段を用いて底板に固定用脚を取付け固定する技術が採用されるようになった。（例：特開平１１−３３７１１７号公報）
ところが、このような手段によると、取付け工程が増加してコストに悪影響を与えている。また、室外ユニットの据付け時に固定用脚が壁などに接触すると、衝撃の程度によっては固定用脚が捩れたり、極端な場合は底板から脱落することもあって、取付け信頼性が低い。
【０００９】
そこで、図４（Ｂ）に示すように、底板Ｔの周縁に沿って形成されるフランジ部ｆの一部を切欠し、この切欠部分を底板の外方へ突出させた固定用脚ｇが設けられるようになった。
【００１０】
底板Ｔ底面が被据付け部に接触しないよう、固定用脚ｇの両側部に沿って折曲部ｋが形成され、この下端縁が被据付け部に載る。上記固定用脚ｇが底板Ｔに一体に設けられることになり、上述した取付け固定手段が不要となる。
【００１１】
しかしながら、暖房運転時には除霜水が、冷房運転時には結露水が生成され易く、これらドレン水は一旦底板Ｔ上に溜ったあと、固定用脚ｇが設けられるフランジ部ｆの切欠きから外部へ漏れ出てしまう。
【００１２】
一方、固定用脚ｇの剛性保持のため、上面部に矩形状の突部ｈを一体形成しているが、室外機全体の重量は固定用脚ｇの折曲部ｋにかかる。この折曲部ｋは補強構造となっていないので、強度的に不安がある。
【００１３】
そこで、図４（Ｃ）に示すように、複数の突条ｍを所定間隔を存して一体に設けた固定用脚ｇ１に変更することの考えがある。この場合は、上述の構造よりも剛性の増大化を図ることができ、強度的な不安がない。
【００１４】
その反面、各突条ｍが上方に突出するので、底板のフランジ部に取付けられる正面板や背面板などの板体Ｄにおいて、固定用脚ｇ１と対向する下端縁部位を凹状に切欠く必要がある。
【００１５】
切欠き部ｎを設けたままで放置すれば錆の発生があるので、ここに防錆処理を施す必要があり、手間がかかる。また、切欠き部ｎは正面板と背面板に設けられ、特に正面板における切欠き部ｎと、固定用脚ｇ１の突条ｍの存在が目立って外観を損なう。
【００１６】
本発明は、上述の事情を考慮してなされたものであり、その目的とするところは、ユニット本体の底部を構成する底板の剛性増大化を図り、底板における固定用脚の取付け手間を不要として製造性および外観の向上化が得られ、固定用脚が設けられる部位からのドレン水の漏出を阻止して信頼性の高い空気調和機の室外機を提供しようとするものである。
【００１７】
【課題を解決するための手段】
上述の目的を満足するためになされた請求項１の発明は、筐体であるユニット本体の底部をなす底板上に室外熱交換器等を載置固定するとともに、上記底板に設けられる固定用脚が取付け具を介して被据付け部に取付け固定される空気調和機の室外機において、上記固定用脚は、上記底板の周縁内側から一体に加工展開することにより所定高さに形成される突堤部を有し、かつ被据付け部に取付け固定される部位が底板外部へ突設されることを特徴とする。
【００１８】
請求項２として、請求項１記載の空気調和機の室外機において上記固定用脚の被据付け部に取付け固定される部位の幅寸法は、上記突堤部基端の幅寸法よりも小に形成されることを特徴とする。
【００１９】
請求項３として、請求項１記載の空気調和機の室外機において上記底板の周縁に沿って、ユニット本体を構成する板体が取付けられるフランジ部が一体に形成され、上記固定用脚の突堤部は、上記底板のフランジ部よりも内側に位置することを特徴とする。
【００２０】
請求項４として、請求項１記載の空気調和機の室外機において上記底板は、平面視で横長矩形状をなし、この前後長辺部における左右両側に対向する部位に固定用脚が設けられ、前後の固定用脚を結ぶラインにほぼ沿う底板部位に、その底面が、上記被据付け部面と所定の間隙を存して近接する、もしくは被据付け部面に接触するよう突出する凹陥部が一体に設けられることを特徴とする。
【００２１】
請求項５として、請求項４記載の空気調和機の室外機において上記凹陥部の突出底面に、排水用孔部が設けられることを特徴とする。
【００２２】
請求項６として、請求項４記載の空気調和機の室外機において上記凹陥部の周縁に沿って、底板面から上方に突出する縁部が一体に設けられることを特徴とする。
【００２３】
上述の構成を採用することにより、請求項１の発明によれば、底板の剛性増大化を図り、固定用脚の取付け手間を不要として製造性および外観の向上化が得られ、固定用脚が設けられる部位からのドレン水の漏出を阻止する。
請求項２の発明によれば、底板から一体形成される部位の幅寸法を十分にとって固定用脚の強度の増大を得られる。
【００２４】
請求項３の発明によれば、固定用脚の突堤部が底板のフランジ部よりも内側に位置するので、フランジ部に取付けられる正面板や背面板の下端部を切欠く必要がなくなり、加工手間と防錆処理が不要となり、かつ外観の向上を得る。
請求項４の発明によれば、被据付け部が細長い台であったとしても、前後の固定用脚と凹陥部とで３点支持することになり、固定用脚における重量の集中を避けて分散化できる。
【００２５】
請求項５の発明によれば、凹陥部内に底板上からドレン水が流入したとしても、この底面の排水用孔部から排出させることとなり、凹陥部内に溜まることがない。
請求項６の発明によれば、凹陥部の周縁に沿って設けられる縁部が、底板上に溜まるドレン水が凹陥部内に流入するのを極力阻止し、かつ底板の強度増大に役立つ。
【００２６】
【発明の実施の形態】
以下、本発明の実施の形態を、図面を参照して説明する。
図１は、組立て途中における空気調和機の室外機について、その一部のみ示す斜視図である。
【００２７】
図中１は底板であって、この底板１の周縁に沿ってフランジ部１ａが立設される。このフランジ部１ａに正面板や背面板などの板体が取付けられ、かつ上端部は天板によって閉塞されてユニット本体２が構成される。図では、底板１の一部のみ示し、正面板等の板体は省略している。
【００２８】
上記底板１上における隅部に仕切り板３が立設されていて、ユニット本体２内を二室に仕切っている。仕切り板３から一方（図の右側）の空間スペースを機械室４と呼び、ここには圧縮機が載置されるとともに、サクションカップや四方弁およびこれらを連通する配管群（以上、図示しない）が収容される。
【００２９】
なお、機械室４の側部にはバルブ支持板５が立設されていて、上記配管群と連通するパックドバルブ（図示しない）などが取付け固定される。また、底板１上には３つのゴムブッシュ６が載置されていて、上記圧縮機を弾性的に３点支持するようになっている。
【００３０】
上記仕切り板３で仕切られる他方の空間スペースを熱交換室７と呼び、ここには平面視でほぼＬ字状に形成される室外熱交換器８が載置される。この室外熱交換器８は上記仕切り板３の背面側まで回り込むよう形成される。さらに、室外熱交換器８と対向して送風機と、この送風機を支持する支持ベース（いずれも図示しない）が取付けられる。
【００３１】
上記底板１の周縁に沿って設けられるフランジ部１ａの一部は所定幅寸法で中断状態となり、ここに後述する固定用脚１０が一体に設けられる。この固定用脚１０の一部が底板から外方へ突設され、先に図４で説明したように、被据付け部ｃに取付け具ｄを介して取付け固定される。
【００３２】
つぎに、上記底板１と固定用脚１０について、図１ないし図３にもとづいて詳述する。なお、図２（Ａ）は底板１の平面図であり、（Ｂ）はＢ−Ｂ線に沿う断面図、（Ｃ）はＣ−Ｃ線に沿う断面図、図３は底板の斜視図である。
【００３３】
底板１の素材は、溶融亜鉛メッキ鋼板に塗装を施した塗装鋼板や、溶融アルミニウム−亜鉛合金メッキ鋼板（例：ガルバリウム鋼板：商品名）等が採用されていて、加工性および耐久性に優れている。
【００３４】
底板１は、金属板をプレス加工してなり、平面視で、前後（奥行き）方向長さよりも左右（幅）方向長さが数倍も長い横長矩形状をなすよう形成される。この底板１の周縁に沿って、底面から上端縁に亘って断面階段状に折曲形成されるフランジ部１ａが一体に設けられる。
【００３５】
上記底板１の底面は、後述する部分を除いて、概略的に、低段面と、中段面と、高段面との三段高さに形成されている。上記機械室４の底面は、一部を除いてほとんど大部分が高段面と中段面とから形成されていて、ここを圧縮機載置面４Ａと呼ぶ。上記熱交換器室７の底面は、一部を除いてほとんど大部分が低段面から形成されていて、ここを熱交換器載置面７Ａと呼ぶ。
【００３６】
上記機械室載置面４Ａと熱交換器載置面７Ａとも、円形や矩形状の突部もしくは凹部が必要カ所に一体に設けられていて、圧縮機や室外熱交換器および送風機支持体の重量に対する強度の保持と、ドレン水の円滑な処理を図っている。
【００３７】
上記固定用脚１０は、底板１の前後長辺部にのみ設けられ、短辺部である左右両側辺には設けられていない。説明の都合上、図の手前側長辺部に設けられる左右一対の固定用脚１０を前側固定用脚１０Ａと呼び、図の後側長辺部に設けられる左右一対の固定用脚１０を後側固定用脚１０Ｂと呼ぶ。
【００３８】
これは、図の手前側長辺部のフランジ部１ａに正面板が取付けられ、据付けた状態で手前側になり、図の後側長辺部のフランジ部１ａに背面板が取付けられ、据付けた状態で背面側になるからである。
【００３９】
前後側固定用脚１０Ａ，１０Ｂとも、底板１の周縁内側から一体に加工展開することにより所定高さに形成される突堤部１１を有し、かつこの突堤部１１から底板外方へ突出するとともに下方斜めに向かって傾斜する傾斜部１２と、この傾斜部１２の下端縁に沿って水平に折曲され実際に被据付け部に載って取付け固定される取付け部１３とから構成される。
【００４０】
なお説明すれば、上記突堤部１１は底板１周縁のフランジ部１ａよりも内側に位置する。突堤部１１の高さ寸法は、底板１底面からフランジ部１ａ上端縁までの高さ寸法よりも小であるが、底板１底面よりは高い寸法に形成される。
【００４１】
特に、図２（Ａ）に示すように、上記突堤部１１基端の幅寸法Ｌａと、上記取付け部１３の幅寸法Ｌｂを比較すると、突堤部１１基端の幅寸法Ｌａは、取付け部１３の幅寸法Ｌｂよりも大（Ｌａ＜Ｌｂ）に形成される。
【００４２】
上記固定用脚１０の突堤部１１基端から傾斜部１２および取付け部１１に亘って、複数の補強用リブ１４が所定間隔を存して並行に、一体に設けられている。これら補強用リブ１４は、断面半円状として板面上に突出している。
【００４３】
上記前側固定用脚１０Ａにおける取付け部１３には、前後方向に長い取付用孔１５が設けられている。上記後側固定用脚１０Ｂにおける取付け部１３には、この先端から傾斜部１２基端に亘って二股状長溝１６が設けられている。
【００４４】
室外機の据付け時において、予め、被据付け部に取付け固定具が仮止めされていて、後側固定用脚１０Ｂを後側にして二股状長溝１６を取付け固定具の杆部に挿入するだけで、室外機の位置決めが容易に行えるようになっている。
【００４５】
上記底板１の前後辺の固定用脚１０Ａ−１０Ｂを結ぶラインにほぼ沿う部位に、その底面が、上記被据付け部面と所定の間隙を存する、もしくは被据付け部面に密着するよう突出する凹陥部１７Ａ，１７Ｂが一体に設けられる。
【００４６】
なお説明すれば、図の右側端部の前後固定用脚１０Ａ−１０Ｂを結ぶラインから±約３０ｍｍ程度ずれた位置に、底板１底面における直径が大で、突出底面の直径が小の、テーパー状に形成される凹陥部１７Ａが一体形成される。
【００４７】
ここでの凹陥部１７Ａの底面は、図２（Ｃ）に示すように、被据付け部面に対して所定間隙ｖ（約３ｍｍ程度）を存して近接するように突出し、かつこの突出底面には排水用孔部１８が設けられる。さらに、底板１底面における凹陥部１７Ａ周縁に沿って、底板面から上方に突出する縁部ａが一体に設けられる。
【００４８】
また、図の左側端部の前後固定用脚１０Ａ−１０Ｂを結ぶラインから±約３０ｍｍ程度ずれた位置に、底板１底面における直径が半円づつ異なり、突出底面の直径が小に形成される凹陥部１７Ｂが一体形成される。
【００４９】
上記凹陥部１７Ｂの底面は、図２（Ｂ）に示すように、被据付け部面と接触するように突出していて、凹陥部１７Ｂの突出底面には排水用孔部１８が設けられる。さらに、底板１底面における凹陥部１７Ｂ周縁に沿って、底板１面から上方に突出する縁部ａが一体に設けられる。
【００５０】
このようにして、底板１に固定用脚１０を一体成形したから、溶接やカシメなどの取付け工程を不要にでき、底板１の製造性が向上して、低価格で信頼性の高い部品を供給できる。
【００５１】
底板１の剛性増大化が得られるとともに、固定用脚１０の突堤部１１を所定の高さに形成したので、底板１上に溜まるドレン水が固定用脚１１から漏出することを阻止して信頼性の向上を得る。
【００５２】
固定用脚１０の取付け部１３の幅寸法Ｌａを小とし、突堤部１１基端の幅寸法Ｌｂを大としたので、底板１から一体形成される部位の幅寸法を十分にとって固定用脚１０の強度の増大を得られる。
【００５３】
固定用脚１０の突堤部１１を底板１のフランジ部１ａよりも内側に設けたので、フランジ部１ａに取付けられる正面板や背面板の内側に突堤部１１が位置し、これら板体の下端部を切欠く必要がなくなって、加工手間と防錆処理が不要となるとともに、外観の向上を得る。
【００５４】
前後の固定用脚１０Ａ−１０Ｂを結ぶラインにほぼ沿った位置に凹陥部１７Ａ，１７Ｂを備えたので、被据付け部が細長い台であったとしても、該ラインで室外機を３点支持することになり、固定用脚１０に対する重量の集中を避けて分散化できる。
【００５５】
凹陥部１７Ａ，１７Ｂ内に底板１上のドレン水が流入したとしても、この底面に設けられる排水用孔部１８から排出させ、ドレン水が凹陥部１７Ａ，１７Ｂ内に溜まることがない。
【００５６】
凹陥部１７Ａ，１７Ｂの周縁に沿って設けられる縁部ａが、底板１上に溜まるドレン水の凹陥部１７Ａ，１７Ｂ内への流入を極力阻止し、かつ底板１の強度増大に役立つ。
【００５７】
【発明の効果】
以上説明したように本発明においては、ユニット本体を構成する底板に、その周縁内側から一体に加工展開して固定用脚を設けたので、底板に対する固定用脚の取付け手間を不要として、底板の製造性を向上させ、低価格で高い信頼性を得るなどの効果を奏する。
【図面の簡単な説明】
【図１】本発明の実施の形態を示す、空気調和機の室外機の一部斜視図。
【図２】同実施の形態を示す、底板の平面図と、Ｂ−Ｂ線に沿う断面図およびＣ−Ｃ線に沿う断面図。
【図３】同実施の形態を示す、底板の斜視図。
【図４】従来の、室外機の据付け状態を説明する図と、固定用脚の斜視図および固定用脚とその周辺の外観図。
【符号の説明】
２…ユニット本体、
１…底板、
８…室外熱交換器、
１０…固定用脚、
１０Ａ…前側固定用脚、
１０Ｂ…後側固定用脚、
１３…突堤部、
１…フランジ部、
１７Ａ，１７Ｂ…凹陥部、
１８…排水用孔部、
ａ…縁部。
【図１】
0004302903.tif 000002
【図２】
0004302903.tif 000003
【図３】
0004302903.tif 000004
【図４】
0004302903.tif 000005